(57)【要約】【課題】キャップ付ボトル缶の開封前の密封性を確保すると共に、再栓後の内圧の過剰な上昇によってもキャップがずれることなく、ボトル缶に被着されているキャップ付ボトル缶を提供すること。【解決手段】金属製のボトル缶の口金部にキャップが被着され、キャップの内側に貼着されたシール材により密封性が確保されるキャップ付ボトル缶であって、ボトル缶の開口部２０の内側に設けられた平坦部２１とシール材２４に設けられたシール部２５がとが密着していることを特徴とする。【選択図】　　　　図１
2004035056.tif 000002
【特許請求の範囲】
【請求項１】
金属製のボトル缶の口金部にキャップが被着され、該キャップの内側に貼着されたシール材により密封性が確保されるキャップ付ボトル缶であって、
前記ボトル缶の開口部の内側と前記シール材に設けられたシール部とが密着していることを特徴とするキャップ付ボトル缶。
【請求項２】
請求項１に記載のキャップ付ボトル缶であって、
前記ボトル缶の中心軸を通る平面で断面視したときに、開口部の内側に平坦部が設けられており、
該平坦部と前記シール部とが密着することによって、該ボトル缶が密封されていることを特徴とするキャップ付ボトル缶。
【請求項３】
キャップが被着される口金部が形成されたボトル缶であって、
その中心軸を通る平面で断面視したときに、開口部の内側に平坦部が設けられていることを特徴とするボトル缶。
【請求項４】
ボトル缶の口金部に被着され、内側にシール材が貼着されたキャップであって、
前記シール材には、前記ボトル缶の口金部の内側と密着するシール部が設けられていることを特徴とすることを特徴とするキャップ。
【発明の詳細な説明】
【０００１】
【発明の属する技術分野】
この発明は、口金部が形成されたボトル缶と、シール材が貼着されたキャップと、ボトル缶の口金部にキャップが被着されて密封されるキャップ付ボトル缶に関する。
【０００２】
【従来の技術】
一般に、飲料用の缶として広く使われているボトル缶は、アルミニウムやアルミニウム合金製の金属板を絞り加工（Ｄｒａｗｉｎｇ）と、次いで行われるしごき加工（Ｉｒｏｎｉｎｇ）とによって形成される、一般にＤＩ缶と呼ばれている缶の上部に、口金部が形成されて製造されている。このボトル缶に内容物を充填した後、ボトル缶の口金部にキャップが被着されて、キャップ付ボトル缶とされる。
【０００３】
従来、図４に示すようなキャップ付ボトル缶１は、ボトル缶２にキャップ３が被着されて密閉されている。ボトル缶２に設けられた口金部４には、雄ねじ部５と膨出部６とカール部７とが形成されている。キャップ３には、天面部８と雌ねじ部９とピルファープルーフ部１０とブリッジ部１１とが形成されており、天面部８の内面にはシール材であるライナー１２が貼着されている。ボトル缶２の雄ねじ部５とキャップ３の雌ねじ部９とが嵌合し、膨出部６の下方にピルファープルーフ部１０の下端部が巻き込む状態で、キャップ３はボトル缶２に被着しており、カール部７とライナー１２とが密着することで密封されている。
【０００４】
図５に、キャップ３が被着されたボトル缶２の開口部１３の部分断面図が示されている。ボトル缶２の開口端にカール部７が形成されており、開口部１３の外側になるカール部７に平坦部１４が形成されている。そして、カール部７の上端部から平坦部１４の一部までの間とライナー１２とが密着している。このようにカール部７とライナー１２とを構成することで、良好な密着性が得られている。
【０００５】
また、キャップ付ボトル缶１を開封する時は、ボトル缶２に対しキャップ３を回転させると、雌ねじ部９が雄ねじ部５に案内されてキャップ３を上方に移動させると共に、膨出部６とピルファープルーフ部１０との係合によりブリッジ部１１が切断され、カール部７とライナー１２とが離間される。さらにキャップ３を回転させることで、ボトル缶２からキャップ３が外される。
【０００６】
【発明が解決しようとする課題】
ところで、上記キャップ付ボトル缶１において、一度キャップ付ボトル缶１を開栓して、内容物が残った状態でキャップ３が再栓された場合、その後の保管状況によってはキャップ付ボトル缶１の内部でガスが発生し、このガスによって内圧が上昇し、雌ねじ部９と雄ねじ部５との嵌合力以上まで内圧が上昇した場合、キャップ３がねじ山を乗り越えて、ずれてしまうという問題があった。
【０００７】
本発明は、このような背景の下になされたものであって、キャップ付ボトル缶の開封前の密封性を確保すると共に、再栓後の内圧の上昇によってもキャップがずれることなく、ボトル缶に被着されているキャップ付ボトル缶を提供することを目的としている。
【０００８】
【課題を解決するための手段】
上記課題を解決するために、この発明は以下の手段を提案している。
請求項１に係る発明は、金属製のボトル缶の口金部にキャップが被着され、該キャップの内側に貼着されたシール材により密封性が確保されるキャップ付ボトル缶であって、前記ボトル缶の開口部の内側と前記シール材に設けられたシール部とが密着していることを特徴とする。
【０００９】
この発明に係るキャップ付ボトル缶によれば、ボトル缶の開口部の内側とキャップに貼着されたシール材のシール部とが密着するように、ボトル缶にキャップが被着されて密封されているので、再栓後の内圧の上昇によってキャップが変形すると、開口部の内側とシール部との密着性が低下し、内部のガスが排出される構成とされている。内圧によりキャップに加えられる力が、ねじ部の嵌合力より大きくなる前にガスを排出するように設定することで、内圧によるキャップのずれが防止される。これにより、再栓後に内圧が過剰に上昇した場合においても確実にボトル缶にキャップが被着される、キャップ付ボトル缶を構成することができる。
【００１０】
請求項２に係る発明は、請求項１に記載のキャップ付ボトル缶であって、前記ボトル缶の中心軸を通る平面で断面視したときに、開口部の内側に平坦部が設けられており、該平坦部と前記シール部とが密着することによって、該ボトル缶が密封されていることを特徴とする。
【００１１】
この発明に係るキャップ付ボトル缶によれば、ボトル缶の中心軸を通る平面で断面視したときに、直線となるような平坦部が開口部の内側に設けられ、平坦部とキャップのシール部とが密着する構成とされているので、この密着面の面積を設定することで、ガスを排出する内圧が設定される。密着面積は、平坦部に密着するシール部の長さで決められるので、容易にガス排出の内圧を設定することができる。これにより、設定内圧まで圧力が上昇した時に確実にガスが排出されるキャップ付ボトル缶を構成することができる。
【００１２】
請求項３に係る発明は、キャップが被着される口金部が形成されたボトル缶であって、その中心軸を通る平面で断面視したときに、開口部の内側に平坦部が設けられていることを特徴とする。
この発明に係るボトル缶によれば、開口部の内側に平坦部が設けられているので、キャップが被着されたときに確実に密封することができると共に、キャップが再栓された後に、内圧が過剰に上昇した場合には確実にガスを排出することができる。
【００１３】
請求項４に係る発明は、ボトル缶の口金部に被着され、内側にシール材が貼着されたキャップであって、前記シール材には、前記ボトル缶の口金部の内側と密着するシール部が設けられていることを特徴とする。
この発明に係るキャップによれば、ボトル缶の口金部の内側に密着するシール部を有するシール材が貼着されているので、ボトル缶に被着されたときに確実に密封することができると共に、キャップを再栓した後、内圧が過剰に上昇した場合には確実にガスを排出することができる。
【００１４】
【発明の実施の形態】
以下、図面を参照し、この発明の実施の形態について説明する。
図１に、キャップ付ボトル缶１の開口部の部分断面拡大図を示す。ボトル缶２の開口部２０は、先端が外側に折り曲げられてカール部２２が形成されている。カール部２２は、開口部２０の内側が平坦部２１となるように形成されており、平坦部２１は、ボトル缶２の中心軸Ｏと平行になるように形成されている。キャップ３の天面２３の内側に貼着されたシール材であるライナー２４にシール部２５が設けられており、シール部２５は天面２３から下方に向けて凸状で、開口部２０の内側に密着するように環状に形成されている。
【００１５】
また、シール部２５の中心軸側は天面２３の方向に向かうに従い幅が広がるような曲面を持って形成され、外側はカール部２２の曲面に合わせて形成されている。また、ライナー２４はカール部２２の上方から外側の一部にかけてまで設けられており、カール部２２の上方から外側の一部においても密着する構成とされている。この状態で、カール部２２とライナー２４とが密着するとともに、平坦部２１とシール部２５とが密着して、ボトル缶２の開口部２０が密封されている。
【００１６】
このようなキャップ付ボトル缶１において、一度開栓されて内容物の残った状態でキャップ３が再栓された後の保管状況によっては、キャップ付ボトル缶１の内部でのガスの発生により内圧が過剰に上昇することがある。再栓されたキャップ付ボトル缶１の内圧が上昇する場合として、内容物が炭酸飲料で車のダッシュボードの上など高温状態とされる場所に置かれる場合や、内容物が糖分の多い乳製品で高温状態とされたときに２次発酵が起こってガスの発生する場合がある。
【００１７】
図２に、キャップ付ボトル缶１の内圧が過剰に上昇し、キャップ３の天面２３に加えられた圧力により、天面２３が上方に変形した状態について示す。図において、変形する前の天面２３およびライナー２４の形状が２点鎖線で示されており、天面２３の中心部において変形量が大きくなっていることが分かる。天面２３およびライナー２４の変形により、シール部２５はボトル缶２の中心軸方向、つまり平坦部２１から離れる方向に力が加えられ、平坦部２１とシール部２５とが密着性が低下する。
【００１８】
そして、さらなる内圧上昇により平坦部２１とシール部２５との密着性がさらに低下すると、平坦部２１とシール部２５との間に発生したガスが侵入し、この間を通りガスが外部に排出される。このようにガスが排出されると、内圧が低下して天面２３およびライナー２４が元の形状（図１の状態）に戻り、平坦部２１とシール部２５との密着性も元に戻る。
【００１９】
このようなガスの排出される内圧は、平坦部２１とシール部２５との密着面積によって設定される。この密着面積は、シール部２５の下方への長さによって決められ、シール部２５を長くすると高い圧力に設定され、シール部２５を短くすると低い圧力に設定される。
【００２０】
上述したように本実施の形態のキャップ付ボトル缶１によれば、内圧が過剰に上昇した場合には、シール性が低下してガスが外部に排出される構成とされているので、内圧の上昇によってキャップ３がずれることを防止することができる。また、ガスが排出される時の内圧は、シール部２５の長さによって設定されるので、容易に設定することができる。また、開口部２０の内側に平坦部２１が形成されているので、開口部２０の内側を精度良く成形することができ、開封前においても良好な密封性を有することができる。
【００２１】
また、図３（ａ），（ｂ）に示されている本実施の形態の変形例のように、平坦部２１がボトル缶２の中心軸Ｏに対して傾斜するように形成されていてもよい。図３（ａ）において、平坦部２１ａは、中心軸Ｏの下方に向かうに従って漸次ボトル缶２の内方向に縮径するように傾斜して形成され、シール部２５ａも同様に傾斜して形成されている。このような構成とすることで、キャップ３を再栓する時にシール部２５ａが開口部２０の内側に案内されやすくなる。
【００２２】
また、図３（ｂ）において、平坦部２１ｂは、中心軸Ｏの下方に向かうに従って漸次、ボトル缶２の外方向に拡径するように傾斜して形成され、シール部２５ｂも同様に傾斜して形成されている。このような構成とすることで、ガスが排出される時の内圧をより高い圧力に設定することができる。いずれの構成においても、平坦部２１ａ，２１ｂおよびシール部２５ａ，２５ｂの傾斜は中心軸Ｏに対して１０°以内の傾斜とされている。
【００２３】
なお、本実施の形態においては、開口部２０の内側にのみ平坦部２１が設けられた形状とされているが、開口部２０の外側にも平坦部が設けられ、カール部２２の両側が平坦部とされた形状としてもよい。また、シール部２５の長さも、周方向に渡って一様でなくてもよい。
【００２４】
【発明の効果】
以上説明したように、本発明によれば、ボトル缶の開口部の内側に設けられた平坦部とキャップに貼着されたシール材のシール部とが密着するように、ボトル缶にキャップが被着されて密封されているので、開封前において良好な密封性を有することができると共に、一度キャップを外して再栓した後にガスの発生により内圧が過剰に上昇した場合には、確実に内部のガスが排出され、キャップのずれを防止することができる。また、ガスの排出される内圧は、容易に設定することができる。これにより、再栓後に確実にボトル缶にキャップが被着される、キャップ付ボトル缶を構成することができる。
【図面の簡単な説明】
【図１】本発明の一実施形態におけるキャップ付きボトル缶の開口部の部分断面図である。
【図２】図１に示されたキャップが変形した状態を示す説明図である。
【図３】キャップ付きボトル缶の開口部の変形例である。
【図４】キャップ付きボトル缶の説明である。
【図５】従来のキャップ付きボトル缶の開口部の部分断面図である。
【符号の説明】
１　キャップ付きボトル缶
２　ボトル缶
３　キャップ
４　口金部
２０　開口部
２１　平坦部
２４　シール材
２５　シール部
Ｏ　中心軸
【図１】
2004035056.tif 000003
【図２】
2004035056.tif 000004
【図３】
2004035056.tif 000005
【図４】
2004035056.tif 000006
【図５】
2004035056.tif 000007